(57)【特許請求の範囲】
【請求項１】
天井パネル、側壁パネル、床板パネルを有し、箱形の矩体構造を形成するシェルター本体と、シェルター本体の天井パネルと側壁パネルの外側に配設される収縮可能な薄膜構造のドームと、ドームの表面形状を変更する手段を有するレーダー電波に対して秘匿性を備えたシェルター。
【請求項２】
ドームを構成する薄膜は、レーダー電波を反射、吸収する機能を有する請求項１記載のレーダー電波に対して秘匿性を備えたシェルター。
【請求項３】
ドームを構成する薄膜は、主要材料に伸縮性のある化学繊維を用い、フェライト粒子、炭素繊維などを電波吸収材料として合成した請求項１又は２記載のレーダー電波に対して秘匿性を備えたシェルター。
【請求項４】
ドームの表面形状を変更する手段は、ドームの内側にエアを供給・排気する装置であって、ドーム内のエア圧を変更することによってドームを拡張・収縮させる機能を有する請求項１から３のいずれかに記載のレーダー電波に対して秘匿性を備えたシェルター。
【発明の詳細な説明】
【０００１】
【発明が属する技術分野】
本発明は、有事の際に使用する局地無線装置を収容するシェルターに関する。
【０００２】
【従来の技術】
図４に局地無線端局装置とシェルターの概要を示す。
シェルター１０は、箱形の外観を有し、内部に無線装置とそのオペレータを収容する。シェルター１０の外部に設置されるアンテナ２０は、ケーブル３０を介してシェルター１０内の無線装置に連結され、外部との無線交信を行なう。
有事の際、戦線の指揮に用いられる局地無線端局装置は、敵機の第一の攻撃目標の一つとされる。
【０００３】
局地無線端局装置用シェルターは、地上車両で現地に運搬されているので、軽量であり、運搬に耐える充分な強度と剛性を与えるため、一般的に金属表面板を持つハニカムパネルで作られている。
敵機の攻撃を避けるため、現地到着後、秘匿のためシェルターを布地、草木で覆う方法が採られるが、この方法は敵機からの視認は避けられても、シェルターを構成する金属パネルの面積が大きいため、電波の反射が大きく、敵機のレーダーに捕捉され、攻撃を受ける恐れが大きかった。
【０００４】
従来から、シェルターのレーダー電波に対する秘匿性（ステルス性）が研究されていて、ハニカムパネルの表面に電波吸収塗料（磁性粒体を樹脂に含有させた塗料など）を塗布する方法が最良とされているが、重量の制限などから塗布量に限界があり、満足できる吸収レベルには至らず秘匿効果の高い方法が望まれている。
アメリカを始めとする各国で、軍用機のステルス性が研究され、ステルス特性を持たせた軍用航空機が多種開発されてきたが、未だ確立された技術がないため、次々と新構想に基づく新型機が登場してくる現状にある。
【０００５】
軍用ステルス機の開発では、当初、電磁波吸収塗料に重点が置かれていたが、充分な効果が得られなかったため、現在ではレーダー反射面積（レーダー断面積：ＲＡＤＡＲ  ＣＲＯＳＳ  ＳＥＣＴＩＯＮ）を減少させることに重点が置かれていて、空気力学特性を犠牲にした多面形状の航空機が開発され、大きな効果を実証している。
Ｆ１１７戦闘機に代表される多面形状の立体の反射は、各面の反射方向がそれぞれ異なること、およびエンジン空気流路などに工夫が凝らされた結果、実に、０．０１ｍ2というレーダー反射面積の値を得ている。
更に、機体の姿勢を次々と変化させることによって、アンテナから発せられたレーダー電波を、再びアンテナに戻す機会と量を僅少とし、短時間の間に不連続に変化させて、攻撃の照準を不可能にしているので、極めて大きな効果を発揮している。
【０００６】
【発明が解決しようとする課題】
しかし、シェルターを多面形状で作ること、および運動させることは種々の理由から困難であり、満足な秘匿性を持ったシェルターは実現していない。
本発明が解決しようとする課題は、
１．レーダー反射面積を少くすること
２．敵機のレーダーによる攻撃の照準を不可能とすること
３．レーダー誘導ミサイルの照準を不可能とすること
を達成するシェルターを提供することである。
【０００７】
【課題を解決するための手段】
課題１．の、レーダー面積を少くする手段として、電波吸収材料の塗布などの手段では効果に限度があるため、本発明では、電波吸収材料適用に加えて、シェルターの形状を変える方法を追及した。
すなわち、シェルターの主要構造部材の外側に、電波を吸収する特性を持った複合材料製の薄膜を重ね、敵機が来襲してレーダー電波の照射を受ける危険性が生じた場合、この薄膜をエアドーム状に拡張して、電波の反射を拡散させて、敵機が捉え得る電波の反射を少なくする手段とした。
【０００８】
課題２．の、敵機のレーダーによる攻撃の照準を不可能とすること、および課題３．の、レーダー誘導ミサイルの照準を不可能とする手段として、ドームの拡張／収縮を、強力な空気源をもって短時間に繰り返し行える構造を持たせ、敵機の来襲の間中、拡張の度合い、拡張形状を時事刻々に変え、敵機あるいは、ミサイルの誘導電波の反射をランダムに拡散させることとしたので、敵機が反射電波を捕捉する機会は少なく、反射電波は極めて短時間で消滅するので、敵機のレーダースコープの画像が消え、攻撃のための照準をすることが不可能となる。
さらに、ミサイルの誘導電波に撹乱を与えるので照準が不可能となる。
【０００９】
また、シェルター近傍に、同形式の囮のシェルターを設置して、交互に、位相をずらせて拡張／収縮を繰り返すことによって、敵機の電波反射が乱れるので、攻撃照準を更に困難とすることができる。
薄膜は合成繊維で強度を確保し、レーダーの半波長あるいは１／４波長に切断した炭素繊維にアンテナ効果を発揮させ、最表面には磁性粒子を混入した塗料を塗布して、電波を吸収させ、反射を最低限に抑えている。
合成繊維には、ゴムなどを含浸させて、気密性を確保している。
【００１０】
【作用】
本発明では、航空機用ステルス技術を応用して、シェルターの外壁に電波反射／吸収する薄膜構造を設置、格納し、必要に応じて、空気圧で拡張使用することによって目的を達するものである。
【００１１】
【発明の実施の態様】
図１は本発明のレーダー電波に対して秘匿性を備えた局地無線装置用シェルターの外観を示す説明図、図２はドームの断面構造を示す説明図である。
全体を符号１００で示すドーム付のシェルターは、箱形のシェルター本体１０の外側を薄膜構造のドーム１１０で覆った構成を有する。
ドーム１１０は、ゴムを含浸したナイロンのシート１１２上に、炭素繊維層１１４、フェライト層１１６、ゴム材シート１１８を積層した薄膜構造を有する。このドーム１１０は、柔軟性を有し、内部にエアを送ることによって、自由な表面形状に変化する。
【００１２】
図３はドーム形状の変更装置の概要を示す説明図である。
可変速モータ２１０により駆動されるエアポンプ２００は、切換バルブ２２０を介してパイプ２４０にエアを供給する。
パイプ２４０は、シェルター本体１０の天井１２に設けるノズル２５０を介して、ドーム１１０の内部にエアを供給してドーム１１０を拡張させる。また、このパイプ２４０は、切換バルブ２２０を介して排気口２３０にも連通される。
【００１３】
そこで、切換バルブ２２０を切換えることによって、ノズル２５０からエアが供給され、拡張していたドーム１１０はパイプ２４０が排気口２３０に連通することによって、エアが抜かれて縮小し、ノズル２５０ａからエアが供給される部分のドーム１１０ａが縮小状態から拡張される。
このドームの形状の変化を促進するために、ドーム１１０の内側の要所をワイヤ２６０によって、シェルター本体１０の天井１２に連結しておく。
したがって、切換バルブ２２０を適宜のタイミングによって切り換えることによって、シェルター本体１０の天井１２を覆うドーム１１０は、常時その表面形状が変更される。
シェルター本体１０の側壁１４にもノズル２５０を配設し、パイプ２４０により同様の構造を施す。
【００１４】
ドームを形成する薄膜の構造図に示す通り、薄膜表面の第１層にはフェライト粒子を塗布し、樹脂（あるいはゴム）でコーティングしてある。第２層は、敵のレーダー電波の波長を基準として、その１／４波長に切断した炭素繊維を積層した層であり、炭素繊維１本１本にアンテナ効果をもたせるため、炭素繊維同士を樹脂を含浸させることによって絶縁している。
炭素繊維は電波の吸収を目的としていて、大きな体積電気抵抗値（２×１０−３Ω・ｃｍ程度）を有する活性炭素繊維を選定している。
【００１５】
本発明では、敵のレーダー電波の捕捉を避けることに主眼を置いたが、敵機からのミサイル攻撃を避けるためには、むしろ、ミサイルが持つホーミング電波の周波数（１０ＧＨｚ程度）を基準として炭素繊維の切断長を決めることも有効である。
【００１６】
航空機では、自機の飛行方向を変えることによって、レーダー基地からの電波の反射を故意に反らせることができるが、シェルターは地上に設置されるので、シェルター自体の方向を変えることはできない。
そこで、本発明では、構造材料の外側に設置した薄膜構造の電波吸収ドームを短い周期で収縮、拡張を繰り返し、あるいは、ドームの展開形状を変化させて、反射波を敵機に戻さない、あるいは戻る時間を極めて短時間にすることによって攻撃から回避することとした。あるいはミサイルのホーミング電波の反射を混乱させて攻撃を回避する可能性も高い。
【００１７】
【発明の効果】
本発明は以上のように、固定された建造物である箱形のシェルター本体の外側を気密性を有し、可撓性のある膜でつくられたエアドームで覆い、このエアドームに供給するエアを注入、排出することによってエアドームの外形形状を変化させるものである。この構成により、飛来するレーダー電波等は、このエアドームにより反射され、拡散されてしまう。したがって、シェルターの存在はレーダーにより検知されない。
エアドームは、電波を吸収、反射する材料でつくられる。エアドームをいくつかの室に区分し、各室を任意に位相をかえて変形させることによって、秘匿性をより向上することができる。
【図面の簡単な説明】
【図１】本発明のシェルターの説明図。
【図２】エアドームの構造を示す説明図。
【図３】エアドームの操作装置の説明図。
【図４】局地無線端局装置とシェルターの概要を示す説明図。
【符号の説明】
１０  シェルター本体
１００  秘匿性シェルター
１１０  ドーム
２００  エアポンプ
２３０  排気口
２４０  配管
２５０  ノズル
【図１】
0003913836.tif 000002
【図２】
0003913836.tif 000003
【図３】
0003913836.tif 000004
【図４】
0003913836.tif 000005